(57)【要約】【課題】サブウーファなどのスピーカを、収納ラックの目立たない位置に配置する。【解決手段】オーディオ装置を収納可能な収納ラックにおいて、サブウーファと、オーディオ装置を支持する天板部３０と、天板部３０を保持する少なくとも２つの脚部２０ａ及び２０ｂと、天板部３０と平行かつ脚部２０ａ及び２０ｂの各側面に対して垂直に、天板部３０との間隔を変更可能な状態で接合された棚板部４０とを備えた。そして、棚板部４０の裏面に吊り下げられたスピーカ収納部１１を備え、スピーカ収納部１１を、棚板部の奥行き方向に所定の間隔だけずれて配置するようにした。【選択図】図４
2008132161.tif 000002
【特許請求の範囲】
【請求項１】
オーディオ装置を収納可能な収納ラックにおいて、
前記オーディオ装置を支持する天板部と、
前記天板部を保持する少なくとも２つの脚部と、
前記天板部と平行かつ前記脚部の各側面に対して垂直に、前記天板部との間隔を変更可能な状態で接合された棚板部と、
前記棚板部の下面に配置されたスピーカ収納部とを備え、
前記スピーカ収納部は、前記棚板部の奥行き方向に所定の間隔だけずれて配置したことを特徴とする
収納ラック。
【請求項２】
請求項１記載の収納ラックにおいて、
前記棚板部の前面下部に、前記スピーカ収納部を隠すための目隠し板を備えたことを特徴とする
収納ラック。
【請求項３】
請求項１記載の収納ラックにおいて、
前記棚板部の下に配置され、当該収納ラックの強度を補強する強度保持部を備えたことを特徴とする
収納ラック。
【請求項４】
請求項３記載の収納ラックにおいて、
前記スピーカ収納部が前記強度補強部を兼ねることを特徴とする
収納ラック。
【請求項５】
請求項１記載の収納ラックにおいて、
前記オーディオ装置から出力される音声信号を増幅する増幅部と、
前記増幅部で増幅された音声信号を放音するスピーカとを備え、
前記スピーカの１つとして配置されたサブウーファを、前記棚板部の下面に配置されたスピーカ収納部に収納したことを特徴とする
収納ラック。
【請求項６】
請求項１記載の収納ラックにおいて、
前記スピーカ収納部の放音部は、その放音面を前面に配置したことを特徴とする
収納ラック。
【請求項７】
請求項１記載の収納ラックにおいて、
前記スピーカ収納部は複数のスピーカを備え、前記複数のスピーカの放音面を相反する方向を向くように配置したことを特徴とする
収納ラック。
【発明の詳細な説明】
【技術分野】
【０００１】
本発明は、サブウーファなどのスピーカが内蔵された収納ラックに関する。
【背景技術】
【０００２】
従来、テレビジョン受像機又はオーディオ機器等を設置又は収納可能なＡＶ（Audio・Video）ラックに、スピーカやアンプ装置等を一体化したものが知られている。近年では、家庭で高品質な画面や音質で映画を楽しめるホームシアターが普及してきており、ＡＶラックに備え付けられるアンプ装置やスピーカ等の音響装置も、５．１ｃｈ以上に対応したものとなってきている。
【０００３】
５．１ｃｈのサラウンド再生環境を構築するには、フロント左右、リア左右、センター用の各スピーカと、低音の音域のみの再生を行うサブウーファが必要となる。
【０００４】
特許文献１には、サブウーファを配置するスペースを設けたスタンド装置についての開示がある。
【特許文献１】特開２００５−３０３４７９号公報
【発明の開示】
【発明が解決しようとする課題】
【０００５】
ところで、５．１ｃｈのうちの０．１ｃｈを受け持つサブウーファは、バスレフダクトを利用して空気の共鳴・共振を起こし、重低音の再生を行う構造であるため、空気を共鳴・共振させるための空間を必要とする。つまり、十分な低音を再生するためには、サブウーファはある程度大きなサイズとせざるを得ない。このため、上述したような収納ラックにサブウーファを搭載する場合には、その存在がどうしても目立つものとなり、意匠的な制約にもつながってしまっていた。
【０００６】
図１０は、サブウーファが組み込まれた従来のＡＶラック２００の構成例を示す正面図である。図１０に図示されたＡＶラックは、テレビジョン受像機等を設置可能な天板部２１３と、天板部２１３を支える脚部２１２ａ及び２１２ｂ及び、２つの脚部間に渡された棚板部２１４とで構成され、右端には、サブウーファユニット２０１を備えたサブウーファ収納部２０２が設けられている。
【０００７】
図１０に示されたＡＶラック２００は、サブウーファ収納部２０２の占める割合が大きく、サブウーファ収納部２０２の存在が目立つと共に、ＤＶＤ（Digital Versatile Disc）レコーダ等のオーディオ機器を設置する収納スペースを圧迫してしまっている。また、サブウーファを目立たなくさせるため、図１１に示されたもののように、サブウーファユニット２０１を背面に配置した収納ラックも出てきている。図１１（ａ）は、収納ラック２００の正面図であり、図１１（ｂ）は収納ラック２００の背面図である。
【０００８】
図１１（ａ）の正面図において、サブウーファ収納部２０２が左側に配置されているが、ユーザからはサブウーファ収納部２０２だけが見えており、中に収納されているサブウーファユニットは見えていない状態である。図１１（ｂ）は背面図であり、サブウーファユニット２０１が、ユーザのいる方向（図１１（ａ）の手前側）とは反対側に向けられていることがわかる。
【０００９】
ところが、図１１（ａ）及び（ｂ）に示されたもののように、サブウーファユニット２０１を背面に配置した場合には、サブウーファユニット２０１の再生周波数帯域と、他のスピーカ（図示略）の再生周波数帯域とのつながりが悪くなってしまう可能性があった。サブウーファユニット２０１を背面に配置した状態で、各帯域間のつながりを良くするためには、サブーファ以外のスピーカ又はサブウーファユニット２０１から再生される周波数帯域を伸ばす必要がある。スピーカを備えたスピーカ収納部の体積を大きくすることでこの問題を解決することが可能であるが、オーディオ機器等を収納するＡＶラックにおいて、備え付けの音響装置を大型化することは好ましいとは言えない。
【００１０】
本発明はかかる点に鑑みてなされたものであり、サブウーファなどのスピーカから出力される音質を損なわせることなく、目立たない位置に配置した収納ラックを提供することを目的とする。
【課題を解決するための手段】
【００１１】
本発明は、オーディオ装置を収納可能な収納ラックにおいて、スピーカ収納部と、オーディオ装置を支持する天板部とを備えた。また、天板部を保持する少なくとも２つの脚部と、天板部と平行かつ脚部の各側面に対して垂直に、天板部との間隔を変更可能な状態で接合された棚板部とを備えた。そして、棚板部の裏面に、スピーカ収納部を吊り下げるようにし、そのスピーカ収納部を、棚板部の奥行き方向に所定の間隔だけずれて配置するようにした。
【００１２】
このようにしたことで、サブウーファなどのスピーカが棚板下部の後方に配置されるようになり、収納ラックの正面からサブウーファなどのスピーカが見え辛くなる。
【００１３】
この場合、スピーカ収納部は収納ラックの前面より少し奥に配置してはいるが、スピーカ収納部を隠蔽するための部材等は使用していないため、サブウーファなどから出力される音質が損なわれることがなくなる。
【発明の効果】
【００１４】
本発明によると、サブウーファなどのスピーカから出力される音質を損なうことなく、目立たない位置に配置することができる。
【発明を実施するための最良の形態】
【００１５】
以下、本発明の一実施の形態を、図１〜図９を参照して説明する。本実施の形態は、テレビジョン受像機やオーディオ装置の音声を増幅するアンプ装置や、音声を出力するスピーカユニット、約４０Ｈｚ〜２００Ｈｚ程度の帯域の音声を再生するサブウーファユニットを備えたＡＶラック（収納ラック）に適用したものである。
【００１６】
図１において、ＡＶラック１００は、例えばテレビジョン受像機等を配置可能な天板部３０を備え、天板部３０は、脚部２０ａと２０ｂにより保持されている。そして、脚部２０ａと２０ｂの間には棚板部４０が渡してある。脚部２０ａ及び２０ｂの側面には、図示せぬ棚板受けを所定の間隔で複数設けてあり、複数の棚板受けの間で棚板部４０を上下に自由に移動可能な構成としてある。棚板部４０の下部には、サブウーファユニット１０ＳＷ−ａ及び１０ＳＷ−ｂを内蔵したサブウーファボックス（サブウーファ収納部）１１を設けてある。このサブウーファボックス１１は、棚板部４０の裏面（下面）から、サブウーファ保持部４２ａ，４２ｂで吊り下げるように保持してある。サブウーファボックス１１は、棚板部４０の下部に配置されるため、その高さを低くした横長の形状としてある。図２は斜視図でＡＶラック１００を示した図である。図２の状態では、サブウーファボックス１１は外側からは隠れた状態であり、破線でサブウーファボックス１１を示してある。
【００１７】
また、図１に示されるように、本例のＡＶラック１００は、天板部３０上に配置されたテレビジョン受像機からの音声や棚板部４０上に設置されたオーディオ装置等からの音声を増幅するアンプ装置５０と、アンプ装置５０で増幅された音声を出力するスピーカユニットを備えている。スピーカユニットは、左リアスピーカ１０ＳＬ、左前スピーカ１０ＦＬ、中央前スピーカ１０ＦＣ、右前スピーカ１０ＦＲ、右リアスピーカ１０ＳＲで構成され、すべて天板部３０内に配置してある。これらのスピーカユニットに加え、サブウーファユニット１０ＳＷ−ａ及び１０ＳＷ−ｂを内蔵したサブウーファボックス１１を棚板部４０の下部に備えたことで、ユーザの周囲に５．１ｃｈのサラウンド環境を構築することが可能となる。
【００１８】
次に、本例のＡＶラック１００の内部構成例について図３を参照して説明する。まず、オーディオ装置等から出力された再生オーディオ信号が、信号源２１よりアンプ装置５０に供給される。アンプ装置５０内では、プリアンプ２ＳＷ−ｂ、２ＳＷ−ａ、２ＦＣ、２ＦＬ、２ＦＲ、２ＳＬ、２ＳＲのそれぞれに、サブウーファ左チャンネルのオーディオ信号、サブウーファ右チャンネルのオーディオ信号、センタチャンネルのオーディオ信号、左フロントチャンネルのオーディオ信号、右フロントチャンネルのオーディオ信号、左リアチャンネルのオーディオ信号、右リアチャンネルのオーディオ信号が供給される。プリアンプ２ＳＷ−ｂ、２ＳＷ−ａ、２ＦＣ、２ＦＬ、２ＦＲで増幅された各チャンネルのオーディオ信号は、それぞれアンプ５ＳＷ−ｂ、５ＳＷ−ａ、５ＦＣ、５ＦＬ、５ＦＲに供給され、スピーカ１０ＳＷ−ｂ、１０ＳＷ−ａ、１０ＦＣ、１０ＦＬ、１０ＦＲから音声出力される。
【００１９】
また、左リアチャンネル用のプリアンプ２ＳＬと右リアチャンネル用の２ＳＲで増幅されたオーディオ信号は、仮想音像処理を施す音像処理回路４ＳＬ、４ＳＲに供給され、音像処理回路４ＳＬ、４ＳＲで仮想音像処理を施される。音像処理回路４ＳＬ、４ＳＲから出力されたオーディオ信号は、アンプ５ＳＬ、５ＳＲに供給され、スピーカ１０ＳＬ、１０ＳＲより音声出力される。音像処理回路４ＳＬ、４ＳＲでの処理及び、アンプ５ＳＷ−ｂ〜５ＳＲの増幅制御等は、制御部３で行われる所定の演算、制御に基づいて行われる。
【００２０】
次に、サブウーファボックス１１の取り付け位置の例について、図４を参照して説明する。図４は、ＡＶラック１００を側面から見た場合の図である。図４の例においては、ＡＶラック１００の天板部３０上に、テレビジョン受像機６０を配置してある。なお、図４においてはＡＶラック１００の内部を分かりやすくするため、ＡＶラック１００の側面を覆う部材を取り払った状態を示してある。
【００２１】
図４において、サブウーファボックス１１は、ユーザｅ１から見て奥側に配置してある。サブウーファボックス１１をユーザｅ１から見て奥側に配置するのは、ユーザｅ１からサブウーファボックス１１を見えにくくするためであり、サブウーファボックス１１の前後方向の配置位置は、ユーザの視線の高さやユーザとの距離等を元に算出する。
【００２２】
例えば、ＡＶラック１００の高さとテレビジョン受像機６０の半分の高さの合計（＝ユーザの目線の高さと想定）が９０ｃｍであり、ユーザｅ１はテレビジョン受像機６０から２ｍ離れた場所にいると想定した場合には、テレビジョン受像機６０の中心位置からＡＶラック１００の一番手前の面までの距離（本例では１８ｃｍ）と、棚板部４０から床までの長さ（本例では１５ｃｍ）から、ユーザｅ１が棚板部４０の下の部分に視線を落とした場合の角度θ（約４２°）を算出でき、ユーザｅ１の視線が到達する距離ｘも算出できる（脚部２０ａの奥行き方向の厚みを５ｃｍとした場合は、約１１ｃｍ）。算出した値であるｘより少しでも奥側にサブウーファボックス１１を配置すれば、ユーザｅ１からはサブウーファボックス１１が見えない計算となる。
【００２３】
このように、サブウーファボックス１１を、棚板部４０の下部の、奥行き方向に所定の間隔だけ入った位置に設けるようにしたため、サブウーファボックス１１がユーザｅ１から見えにくくなる。これにより、サブウーファが存在することにより生ずるＡＶラック１００の意匠的な制約をなくすことができる。
【００２４】
また、サブウーファユニット１０ＳＷ−ａ及び１０ＳＷ−ｂを、ユーザの存在する方向である前面に配置してあるため、サブウーファユニット１０ＳＷ−ａ及び１０ＳＷ−ｂから放音される音声はユーザの位置する方向にダイレクトに出力され、その音質が損なわれることがなくなる。
【００２５】
また、サブウーファユニット１０ＳＷ−ａ及び１０ＳＷ−ｂを、それぞれＡＶラック１００の中心から均等な位置に配置してあるため、本例のサブウーファユニット１０ＳＷ−ａ及び１０ＳＷ−ｂから出力させる４０Ｈｚ〜２００Ｈｚの帯域うち、方向性を持つといわれる１５０Ｈｚ以上の帯域の音声も、バランスよく出力されるようになる。
【００２６】
この場合、サブウーファボックス１１をユーザｅ１からより見えにくくするために、図５に示したように棚板部４０の前面側の真下に目隠し板２１を設けるようにしてもよい。このようにすることで、ユーザｅ１の視線が届きにくくなり、サブウーファボックス１１の存在をより目立たないものとすることが可能となる。
【００２７】
次に、サブウーファボックス１１と棚板部４０との接合の例について、図６を参照して説明する。図６においては、棚板部４０の下に、ＡＶラック１００の強度を保持する構造体としての補強材４１を設けてあり、補強材４１に取り付けたサブウーファ保持部４２ａ及び４２ｂにより、サブウーファボックス１１を吊り下げて保持する構成としてある。
【００２８】
このように、サブウーファボックス１１を脚部２０ａ又は２０ｂに直接接着させない構成としてあるため、サブウーファボックス１１内のサブウーファユニットで発生した振動が、ＡＶラック１００上に設置、或いはラック内に収納されたオーディオ装置等に伝わりにくくなる。
【００２９】
もしくは、図７に示されたように、サブウーファ保持部４２ａ′と４２ｂ′のみで、サブウーファボックス１１を保持する構成としてもよい。この例においては、脚部２０ａ及び２０ｂに固定されたサブウーファ保持部４２ａ′と４２ｂ′が、サブウーファボックス１１を支えている。サブウーファボックス１１のようなスピーカボックスは、元来強度を持った構造であるため、このような構成とすることで、サブウーファボックス１１及びサブウーファ保持部４２ａ、４２ｂがＡＶラック１００の構造体として機能するようになる。このため、別途ＡＶラック１００を補強するための構造体を新たに設ける必要がなくなり、ＡＶラック１００の製造費用を安く抑えることが可能となる。
【００３０】
このように、サブウーファボックス１１等のスピーカボックスの堅牢性を利用して、ＡＶラック１００の構造体として機能させる場合には、棚板部４０の下部に配置する部材は、サブウーファボックス１１でなくてもよく、センタスピーカ等の他のスピーカを収納するスピーカボックスであってもよい。
【００３１】
なお、上述した実施の形態では、サブウーファユニット１０ＳＷ−ａと１０ＳＷ−ｂが前面に配置された例を挙げて説明したが、サブウーファユニット１０ＳＷ−ａと１０ＳＷ−ｂを、図８に示されるように互いに相反する方向に、左右横向きに配置するようにしてもよい。この場合、脚部２０ａ及び２０ｂの側面に、反射板１６ａ及び１６ｂを設けることで、サブウーファユニット１０ＳＷ−ａと１０ＳＷ−ｂから出力される音声をユーザの位置する方向に反射させることができる。またこの場合、バスレフポート１５ａ及び１５ｂを前面に配置するようにすれば、低い帯域の音声がユーザの所在する方向に出力されるようになる。
【００３２】
また、上述した実施の形態では、サブウーファ以外のスピーカユニットをＡＶラック１００の天板部３０に内蔵させた例を挙げて説明したが、サブウーファのみを備えたＡＶラック１００に適用するようにしてもよい。この場合のＡＶラックの構成例について、図９を参照して説明する。
【００３３】
図９のＡＶラック１００′も、ここまで説明してきた実施の形態におけるＡＶラック１００と同様に、テレビジョン受像機等を配置可能な天板部３０′を備え、天板部３０′は、両端を脚部２０ａ′及び２０ｂ′により保持されている。そして、脚部２０ａ′と２０ｂ′との間に渡された棚板部４０′の下部に、サブウーファユニット１０ＳＷ−ａと１０ＳＷ−ｂとを備えたサブウーファボックス１１が備え付けてある。
【００３４】
つまり、図９におけるＡＶラック１００′は、サブウーファボックス１１のみを備えたラックとなる。このようなＡＶラック１００′では、サブウーファユニット１０ＳＷ−ａと１０ＳＷ−ｂの再生周波数帯域以外の帯域の音声は、例えばＡＶラック１００′上に設置されたテレビジョン受像機（図９においては図示略）のスピーカ等、他の装置に備え付けられたスピーカから出力させる。
【００３５】
５．１ｃｈ以上のサラウンドを再生できない構成である場合にも、サブウーファを単体で増設して音の広がりを出すことが行われており、この場合は、比較的サイズの大きいサブウーファボックスを、部屋のどこかに設置する必要があった。このような場合において、図９に例示されたようなサブウーファボックス１１′内蔵のＡＶラック１００′を使用すれば、サブウーファの設置場所を考慮することなく、通常のスピーカユニットからは再生し得ない低音域の音を再生させることが可能となる。
【００３６】
また、上述した実施の形態では、図６や図７で説明したように、サブウーファボックス１１をサブウーファ保持部４２ａ及び４２ｂを介して補強材４１や脚部２０ａ及び２０ｂに固定させる例を説明したが、サブウーファ保持部４２ａ及び４２ｂを介して直接棚板部４０に固定させるようにしてもよい。
【００３７】
また、上述した実施の形態では、サブウーファボックス１１を保持する保持部を、左右に２つ設けた構成としたが、保持部は２点に限定されるものではなく、３点等、複数の箇所で保持する構成としてもよい。
【００３８】
また、上述した実施の形態では、サブウーファも含むスピーカユニットの前面に何も設けていない構成を説明したが、スピーカクロスを設けるようにしてもよい。
【００３９】
また、ＡＶラック１００の脚部２０ａ及び２０ｂを、プレッシャボードとして機能させるようにしてもよい。
【図面の簡単な説明】
【００４０】
【図１】本発明の一実施の形態によるＡＶラックの構成例を示す正面図である。
【図２】本発明の一実施の形態によるＡＶラックの構成例を示す斜視図である。
【図３】本発明の一実施の形態によるＡＶラックの内部構成例を示すブロック図である。
【図４】本発明の一実施の形態によるサブウーファボックス取り付け位置の例を示す側面図である。
【図５】本発明の他の形態による目隠し板取り付け時のＡＶラック構成例を示す側面図である。
【図６】本発明の一実施の形態によるサブウーファボックスの取り付け例を示す正面図である。
【図７】本発明の他の実施の形態によるサブウーファボックスの取り付け例を示す正面図である。
【図８】本発明の他の形態によるサブウーファユニットの取り付け位置の例を示す正面図である。
【図９】本発明の他の形態によるＡＶラックの構成例を示す正面図である。
【図１０】従来のＡＶラックの構成例を示す正面図である。
【図１１】従来のＡＶラックの構成例を示す正面図及び背面図である。
【符号の説明】
【００４１】
１…信号源、２ＦＣ〜２ＳＷ…プリアンプ、３…制御部、４ＳＬ、４ＳＲ…音像処理回路、５ＦＣ〜５ＳＷ…アンプ、１０ＦＣ…中央前スピーカユニット、１０ＦＬ…左前スピーカユニット、１０ＦＲ…右前スピーカユニット、１０ＳＬ…左リアスピーカユニット、１０ＳＲ…右リアスピーカユニット、１０ＳＷ…サブウーファユニット、１１…サブウーファボックス、１５…バスレフポート、１６…反射板、２０…脚部、２１…目隠し板、３０…天板部、４０…棚板部、４１…補強材、４２…サブウーファ保持部、５０…アンプ装置、６０…テレビジョン受像機、１００…ＡＶラック
【図１】
2008132161.tif 000003
【図２】
2008132161.tif 000004
【図３】
2008132161.tif 000005
【図４】
2008132161.tif 000006
【図５】
2008132161.tif 000007
【図６】
2008132161.tif 000008
【図７】
2008132161.tif 000009
【図８】
2008132161.tif 000010
【図９】
2008132161.tif 000011
【図１０】
2008132161.tif 000012
【図１１】
2008132161.tif 000013
【手続補正書】
【提出日】平成19年12月4日(2007.12.4)
【手続補正１】
【補正対象書類名】特許請求の範囲
【補正対象項目名】全文
【補正方法】変更
【補正の内容】
【特許請求の範囲】
【請求項１】
オーディオ装置を収納可能な収納ラックにおいて、
前記オーディオ装置を支持する天板部と、
前記天板部を保持する少なくとも２つの脚部と、
前記天板部と平行かつ前記脚部の各側面に対して垂直に、前記天板部との間隔を変更可能な状態で接合された棚板部と、
前記棚板部の下に配置されたスピーカ収納部とを備え、
前記スピーカ収納部は、前記棚板部の奥行き方向に所定の間隔だけずれて配置したことを特徴とする
収納ラック。
【請求項２】
請求項１記載の収納ラックにおいて、
前記棚板部の前面下部に、前記スピーカ収納部を隠すための目隠し板を備えたことを特徴とする
収納ラック。
【請求項３】
請求項１記載の収納ラックにおいて、
前記棚板部の下に配置され、当該収納ラックの強度を補強する強度保持部を備えたことを特徴とする
収納ラック。
【請求項４】
請求項３記載の収納ラックにおいて、
前記スピーカ収納部が前記強度保持部を兼ねることを特徴とする
収納ラック。
【請求項５】
請求項１記載の収納ラックにおいて、
前記オーディオ装置から出力される音声信号を増幅する増幅部と、
前記増幅部で増幅された音声信号を放音するスピーカとを備え、
前記スピーカの１つとして配置されたサブウーファを、前記棚板部の下に配置されたスピーカ収納部に収納したことを特徴とする
収納ラック。
【請求項６】
請求項１記載の収納ラックにおいて、
前記スピーカ収納部の放音部は、その放音面を前面に配置したことを特徴とする
収納ラック。
【請求項７】
請求項１記載の収納ラックにおいて、
前記スピーカ収納部は複数のスピーカを備え、前記複数のスピーカの放音面を相反する方向を向くように配置したことを特徴とする
収納ラック。
【手続補正２】
【補正対象書類名】明細書
【補正対象項目名】０００８
【補正方法】変更
【補正の内容】
【０００８】
図１１（ａ）の正面図において、サブウーファ収納部２０２が左側に配置されているが、ユーザからはサブウーファ収納部２０２だけが見えており、中に収納されているサブウーファユニット２０１は見えていない状態である。図１１（ｂ）は背面図であり、サブウーファユニット２０１が、ユーザのいる方向（図１１（ａ）の手前側）とは反対側に向けられていることがわかる。
【手続補正３】
【補正対象書類名】明細書
【補正対象項目名】００１８
【補正方法】変更
【補正の内容】
【００１８】
次に、本例のＡＶラック１００の内部構成例について図３を参照して説明する。まず、オーディオ装置等から出力された再生オーディオ信号が、信号源１よりアンプ装置５０に供給される。アンプ装置５０内では、プリアンプ２ＳＷ−ｂ、２ＳＷ−ａ、２ＦＣ、２ＦＬ、２ＦＲ、２ＳＬ、２ＳＲのそれぞれに、サブウーファ左チャンネルのオーディオ信号、サブウーファ右チャンネルのオーディオ信号、センタチャンネルのオーディオ信号、左フロントチャンネルのオーディオ信号、右フロントチャンネルのオーディオ信号、左リアチャンネルのオーディオ信号、右リアチャンネルのオーディオ信号が供給される。プリアンプ２ＳＷ−ｂ、２ＳＷ−ａ、２ＦＣ、２ＦＬ、２ＦＲで増幅された各チャンネルのオーディオ信号は、それぞれアンプ５ＳＷ−ｂ、５ＳＷ−ａ、５ＦＣ、５ＦＬ、５ＦＲに供給され、スピーカ１０ＳＷ−ｂ、１０ＳＷ−ａ、１０ＦＣ、１０ＦＬ、１０ＦＲから音声出力される。
【手続補正４】
【補正対象書類名】明細書
【補正対象項目名】００２９
【補正方法】変更
【補正の内容】
【００２９】
もしくは、図７に示されたように、サブウーファ保持部４２ａ′と４２ｂ′のみで、サブウーファボックス１１を保持する構成としてもよい。この例においては、脚部２０ａ及び２０ｂに固定されたサブウーファ保持部４２ａ′と４２ｂ′が、サブウーファボックス１１を支えている。サブウーファボックス１１のようなスピーカボックスは、元来強度を持った構造であるため、このような構成とすることで、サブウーファボックス１１及びサブウーファ保持部４２ａ′、４２ｂ′がＡＶラック１００の構造体として機能するようになる。このため、別途ＡＶラック１００を補強するための構造体を新たに設ける必要がなくなり、ＡＶラック１００の製造費用を安く抑えることが可能となる。
【手続補正５】
【補正対象書類名】明細書
【補正対象項目名】００３３
【補正方法】変更
【補正の内容】
【００３３】
図９のＡＶラック１００′も、ここまで説明してきた実施の形態におけるＡＶラック１００と同様に、テレビジョン受像機等を配置可能な天板部３０′を備え、天板部３０′は、両端を脚部２０ａ′及び２０ｂ′により保持されている。そして、脚部２０ａ′と２０ｂ′との間に渡された棚板部４０′の下部に、サブウーファユニット１０ＳＷ−ａ′と１０ＳＷ−ｂ′とを備えたサブウーファボックス１１′が備え付けてある。
【手続補正６】
【補正対象書類名】明細書
【補正対象項目名】００３４
【補正方法】変更
【補正の内容】
【００３４】
つまり、図９におけるＡＶラック１００′は、サブウーファボックス１１′のみを備えたラックとなる。このようなＡＶラック１００′では、サブウーファユニット１０ＳＷ−ａ′と１０ＳＷ−ｂ′の再生周波数帯域以外の帯域の音声は、例えばＡＶラック１００′上に設置されたテレビジョン受像機（図９においては図示略）のスピーカ等、他の装置に備え付けられたスピーカから出力させる。
【手続補正７】
【補正対象書類名】図面
【補正対象項目名】図１１
【補正方法】変更
【補正の内容】
【図１１】
2008132161.tif 000014